(57)【要約】      （修正有）【課題】写真をアルバム台紙にきれいに貼れる様に、アルバム台紙に写真を貼る場合の位置決め用の定規を提供する。【解決手段】アルバム台紙へ写真をきちんと貼るための定規１は、略長方形の薄板状水平片２及び水平片２の左端に水平片２と一体になって垂直に延在する略長方形の薄板状垂直片３からなる、アルバム台紙に写真を貼る場合のＬ字形状の位置決め定規１であって、垂直片３の左端をアルバム台紙の側端に合わせ、また、水平片２の下端をアルバム台紙の下端に合わせて、垂直片の右端８及び水平片の上端９で形成されるコーナー１０に写真のコーナーを合わせることにより写真をアルバム台紙の定位置に貼り付ける。【選択図】図１
0003200306.tif 000002
【実用新案登録請求の範囲】
【請求項１】
略長方形の薄板状水平片及び該水平片の左端に該水平片と一体になって垂直に延在する略長方形の薄板状垂直片からなる、アルバム台紙に写真を貼る場合のＬ字形状の位置決め定規であって、
上記垂直片の左端をアルバム台紙の側端に合わせ、また、水平片の下端をアルバム台紙の下端に合わせて、上記垂直片の右端及び上記水平片の上端で形成されるコーナーに写真のコーナーを合わせることにより写真をアルバム台紙の定位置に貼り付けることを特徴とするアルバム台紙へ写真をきちんと貼るための定規。
【請求項２】
前記水片の下側左右に突出片を有し、該突出片の下端を他の大きさのアルバム台紙用の下側基準線としたことを特徴とする前記請求項１記載のアルバム台紙へ写真をきちんと貼るための定規。
【請求項３】
前記定規の材質が糊につきにくい材質から形成されることを特徴とする前記請求項１または２記載のアルバム台紙へ写真をきちんと貼るための定規。
【考案の詳細な説明】
【技術分野】
【０００１】
この考案は、写真等を収納するアルバム台紙に写真を貼る場合の位置決め用の定規（ガイド部材）に関する。
【背景技術】
【０００２】
従来、写真等の保存用に各種アルバムが存在し、その中に図5に示す如く、台紙５２に斜めに筋上にのりを着けておき、写真を貼り付けてその上から透明なフィルムを貼って写真を固定するもの（アルバム５０）が知られている。なお、５１は表紙である。
【０００３】
しかし、このようなアルバム台紙に写真を貼り付ける場合、目分量で貼り付けるので、必ずしも見栄えよく貼り付けられるとは限らない、斜めになったり、２枚貼った場合に右と左がずれていたり、上下が平行でないとか、写真をきれいに貼るのは容易ではない。
【考案の開示】
【考案が解決しようとする課題】
【０００４】
この考案は、写真をアルバム台紙にきれいに貼れる様に、アルバム台紙に写真を貼る場合の位置決め用の道具を提供することを目的とする。
【課題を解決するための手段】
【０００５】
これを解決するため、本考案のアルバム台紙へ写真をきちんと貼るための定規は、略長方形の薄板状水平片及び該水平片の左端に該水平片と一体になって垂直に延在する略長方形の薄板状垂直片からなる、アルバム台紙に写真を貼る場合のＬ字形状の位置決め定規であって、上記垂直片の左端をアルバム台紙の側端に合わせ、また、水平片の下端をアルバム台紙の下端に合わせて、上記垂直片の右端及び上記水平片の上端で形成されるコーナーに写真のコーナーを合わせることにより写真をアルバム台紙の定位置に貼り付けることを特徴とする。
【０００６】
また、前記水平片の下側左右に突出片を有し、該突出片の下端を他の大きさのアルバム台紙用の下側基準線としたことを特徴とする。さらに、前記定規の材質が糊につきにくい材質から形成されることを特徴とする。
【考案の効果】
【０００７】
このようにして、この考案のアルバム台紙用の写真位置決め定規は、これを用いれば、誰でも簡単に写真をアルバム台紙にきれいに貼ることができるので、利便性が高い。また、該定規をアルバムとセットにすることにより、アルバムそのものも売れるようになるので、経済的効果も高い。
【図面の簡単な説明】
【０００８】
【図１】図１は、この考案のアルバム台紙用の写真位置決め定規の基本構造を示す外観図である。
【図２】図２は、この考案のアルバム台紙用の写真位置決め定規をＳ型アルバム台紙に用いた場合の説明図である。
【図３】図３は、この考案のアルバム台紙用の写真位置決め定規をＢ５型アルバム台紙（２枚貼り）に用いた場合の説明図である。
【図４】図４は、この考案のアルバム台紙用の写真位置決め定規の具体例を示す図である。
【図５】図５は、台紙に斜めに筋上にのりを着けておき、写真を貼り付けてその上から透明なフィルムを貼って写真を固定する従来のアルバムを示す図である。
【考案を実施するための形態】
【０００９】
以下、この考案のアルバム台紙用の写真位置決め定規の実施例を説明する。
図１は、この考案のアルバム台紙用の写真位置決め定規１の基本構造を示す外観図である。図１において、全体Ｌ字型に形成された定規１は、薄板状（平板状）部材で形成される。なお、該定規の材質は糊が付き難い材質が好ましい。
【００１０】
図１において、２は略長方形の水平片であり、該水平片の左端から垂直に水平片と一体になった垂直片３が形成される。図１に見られる如く、定規は全体としてＬ字形状である。
【００１１】
写真をアルバム台紙に貼る場合、図２に示されるように、上記垂直片３の左端４をアルバム台紙の左側端、具体的には、台紙に斜めに筋上にのりを着けておき、写真を貼り付けてその上から透明なフィルムを貼って写真を固定するアルバム台紙の場合、糊面の左端（糊線）に合わせ、上記水平片２の下端に設けられた基準線５をアルバム台紙の下端に合わせる。
【００１２】
この状態で上記垂直片の右端８と水平片の上端９で形成されるコーナー１０内側に写真の左下コーナーを合わせて貼り付ける。上記コーナー１０は、各種アルバムの貼り付け位置として見栄えのいい場所（例えば、中央）に設定されているので、簡単に写真を貼る場合の位置決めができる。図２において、１２，１３が写真（例えば、サービス・サイズ）である。図２は、Ｓ型という１枚貼りのタイプのアルバムであるが、図３の如く、Ｂ５版の２枚貼りのアルバムの場合は、以下の如く、貼り付ける。
【００１３】
図３において、３７，３６が前記写真位置決め定規の位置を示す。定規の設置方法は前記と同様であるが、図３の場合、前記水平片２の下端に設けられた基準線は、図１の水平片２から下側に突出した突出片６，７の下端となる。このようなアルバム台紙の下端に合わせる基準線は、該突出片にそれぞれの台紙サイズによって複数設けてもよい。
【００１４】
下側の１枚目は上記１枚用と同じ方法で下の写真を貼りこみ、上側の２枚目は定規の天地を逆にして（裏返して）アルバム台紙の上端（天）に水平片の基準線を合わせ、縦方向は１枚目と同じようにアルバム台紙の左側端に合わせて写真を貼りこむ。垂直片の左端を糊面の左端（糊線）に合わせるのは、いずれの場合も同じである。図３において、３１〜３４が貼られる写真である。
【００１５】
図４には、上記写真位置決め定規の実例を示す。図４において、上記位置合わせ定規の「１２８」、「２５２」とかの表示は、アルバム台紙の大きさを示し、アルバム台紙の天地（上端と下端の間）の寸法が１２８ｍｍ、２５２ｍｍといった具合である。なお、写真は一般的なＬ版（サービスサイズ）を想定している。
【００１６】
図４において、「２５２」の表示される箇所４２が前記水平片４６から突出した突出片となっているが、これは「１２８」の基準線４４を見易くするためであって、「２５２」等の基準線が複数の場合は、別途複数の基準線が該突出片に表示される。
【産業上の利用可能性】
【００１７】
本考案のアルバム台紙用の写真位置決め定規は、写真を該定規により簡単に定位置に見栄えよく貼り付けることができるので、アルバム使用者の利便性が高く、産業上の利用性が高い。
【符号の説明】
【００１８】
１  写真位置決め定規
２  水平片
３  垂直片
６  突出片
７  突出片
１２  写真
１３  写真
３１  写真
３２  写真
３３  写真
３４  写真
４４  基準線
【図１】
0003200306.tif 000003
【図２】
0003200306.tif 000004
【図３】
0003200306.tif 000005
【図４】
0003200306.tif 000006
【図５】
0003200306.tif 000007